(57)【要約】【課題】上皿やガラス扉等の開閉時に、この上皿やガラス扉等に配置される電気的機器の配線に無理な力が加わることを防止し、断線を防ぐことができるパチンコ機を提供する。【解決手段】ガラス扉５の上端部に設けられたランプカバー５Ａの裏側に形成された配線引出口２３に対向する位置に、機構盤１５の裏側面から機構盤１５の深さのほぼ２分の１の高さまで突出し、断面が縦長で上端縁部及び下端縁部が円弧状に形成された筒状壁面を有する貫通孔２４が設けられている。また、機構盤１５の裏側に取り付けられた合成樹脂製のメインセット盤１７の前記貫通孔２４に対向する位置には、メインセット盤１７の裏側面から上端縁部が機構盤１５の裏側面にほぼ接する高さまで突出し、断面形状がこの貫通孔２４とほぼ同じ形状の筒状壁面を有する貫通孔２５が設けられている。そして、配線引出口２３からの配線２２がこの各貫通孔２４、２５を介して裏側に導出される。【選択図】図５
2008110263.tif 000002
【特許請求の範囲】
【請求項１】
外枠に開閉可能に装着される内枠と、前記内枠の裏側に配設される機構盤と、前記機構盤の裏側に開閉自在に配設されるメインセット盤と、前記内枠の前面側に一側端を回動自在に取り付けられて開閉可能に装着されるガラス扉とを備えたパチンコ機において、
前記ガラス扉に配置される電気的機器と、
前記ガラス扉の前記一側端近傍位置の裏側に設けられた配線引出口と、
前記機構盤の表裏方向に形成され内部に筒状壁面を有する第１貫通孔と、
前記メインセット盤の表裏方向に形成され内部に筒状壁面を有する第２貫通孔とを備え、
前記メインセット盤を閉じた場合に、前記第１貫通孔と第２貫通孔とは相互に対向して前記機構盤の前側から該メインセット盤の裏側に連通する筒状壁面を有する貫通孔が形成されると共に、更に前記第１貫通孔と第２貫通孔とは、前記ガラス扉を閉じた場合において前記配線引出口とほぼ対向する位置に形成され、前記電気的機器の配線が前記配線引出口から引き出されて、この第１貫通孔と第２貫通孔に挿入されて該メインセット盤の裏側に導出されることを特徴とするパチンコ機。
【発明の詳細な説明】
【技術分野】
【０００１】
本発明は、内枠の前面側に開閉可能に装着される上皿やガラス扉等の開閉枠を備えたパチンコ機に関し、特に、筒状壁面を有する貫通孔を内枠の裏側に配設される機構盤及びメインセット盤に連続して形成し、この上皿やガラス扉等に配置される電気的機器の配線をこの筒状壁面を有する貫通孔を介して裏面側に導出することにより、上皿やガラス扉等の開閉時にこの配線に無理な力が加わることを防止することができると共に、組立時の配線作業やメインテナンス作業等の作業性向上を図ることができるパチンコ機に関するものである。
【背景技術】
【０００２】
従来より、内枠の前面側に開閉可能に装着される上皿やガラス扉等には、球貸機を操作するための操作機器や装飾表示等のための電気的機器が配置され、これらの電気的機器の配線をパチンコ機の裏側に導出するための配線処理に関して種々の提案がされている。
例えば、特開平９−７５５３０号公報記載の遊技機においては、機枠と、機枠に対して開閉可能に備えられる前面開閉枠とを有する遊技機において、前記機枠の側面に取り付けられ、前記前面開閉枠を前方にスライドさせつつ開放が可能ように支持する開閉機構体と、前記前面開閉枠の裏側に備えられる合成樹脂製の内枠とを備え、前記前面開閉枠は、少なくとも玉貯留皿が配置され操作機器等の電気的機器が設けられた前面パネルであって、前記内枠の所定箇所に形成された切欠きと機枠の側面とにより、前記開閉機構体を収納する収納空間と配線が挿通される配線処理空間とが、それぞれ別個に形成される。そして、この配線処理空間を介して前記電気的機器に接続された配線が裏面側に導出されるように構成されている。
これにより、前記前面パネルから引き出される配線が、前面パネルの開閉動作の際に開閉機構体に噛み込まれないため、開閉機構体の動作不良やこの配線の断線等の発生を確実に防止できる。
【発明の開示】
【発明が解決しようとする課題】
【０００３】
しかしながら、前記特開平９−７５５３０号公報に記載された遊技機では、合成樹脂製の内枠の側面の所定箇所に切欠きが形成されるため、前面開閉パネルから引き出される配線のコネクタをスムーズに挿入できる大きさの切欠きを形成すると内枠の強度が著しく低下するという問題がある。また、この切欠き部を小さくすると、前面開閉パネルから引き出される配線を内枠の側面に形成された切欠き部に押し込みながら、この内枠を機枠に取り付ける必要があるため、内枠の取付作業性が著しく低下すると共に、内枠取付時にこの配線が内枠と機枠との間に挟み込まれて断線するおそれがあるという問題がある。
【０００４】
そこで、本発明は、上述した問題点を解決するためになされたものであり、筒状壁面を有する貫通孔を内枠の裏側に配設される機構盤及びメインセット盤に連続して形成し、上皿やガラス扉等に配置される電気的機器の配線をこの筒状壁面を有する貫通孔を介して裏面側に導出することにより、内枠の強度を保持しつつ、上皿やガラス扉等の開閉時にこの配線に無理な力が加わることを防止することができると共に、組立時の配線作業やメインテナンス作業等の作業性向上を図ることができるパチンコ機を提供することを目的とする。
【課題を解決するための手段】
【０００５】
前記目的を達成するために、請求項１に係るパチンコ機は、外枠に開閉可能に装着される内枠と、前記内枠の裏側に配設される機構盤と、前記機構盤の裏側に開閉自在に配設されるメインセット盤と、前記内枠の前面側に一側端を回動自在に取り付けられて開閉可能に装着されるガラス扉とを備えたパチンコ機において、前記ガラス扉に配置される電気的機器と、前記ガラス扉の前記一側端近傍位置の裏側に設けられた配線引出口と、前記機構盤の表裏方向に形成され内部に筒状壁面を有する第１貫通孔と、前記メインセット盤の表裏方向に形成され内部に筒状壁面を有する第２貫通孔とを備え、前記メインセット盤を閉じた場合に、前記第１貫通孔と第２貫通孔とは相互に対向して前記機構盤の前側から該メインセット盤の裏側に連通する筒状壁面を有する貫通孔が形成されると共に、更に前記第１貫通孔と第２貫通孔とは、前記ガラス扉を閉じた場合において前記配線引出口とほぼ対向する位置に形成され、前記電気的機器の配線が前記配線引出口から引き出されて、この第１貫通孔と第２貫通孔に挿入されて該メインセット盤の裏側に導出されることを特徴とする。
【０００６】
このような特徴を有する請求項１に係るパチンコ機においては、内部に筒状壁面を有する第１貫通孔が、内枠の裏側に配設される機構盤の表裏方向に形成され、内部に筒状壁面を有する第２貫通孔が、この機構盤の裏側に配設されるメインセット盤の表裏方向に形成される。また、内枠の前面側に一側端を回動自在に軸や蝶番等で支えられて開閉可能に装着されたガラス扉の該一側端近傍位置の裏側に、このガラス扉に取り付けられている電気的機器の配線が引き出される配線引出口が形成されている。そして、メインセット盤を閉じた場合に、この第１貫通孔と第２貫通孔とは相互に対向して、機構盤の前側から該メインセット盤の裏側に連通する筒状壁面を有する貫通孔が形成される。更に、ガラス扉を閉じた場合において、この第１貫通孔と第２貫通孔とは、ガラス扉の裏側に形成された配線引出口とほぼ対向している。そして、前記内枠の前面側に一側端を回動自在に軸や蝶番等で支えられて開閉可能に装着されたガラス扉に取り付けられている電気的機器の配線が、このガラス扉の裏側に形成された配線引出口から引き出されて、この第１貫通孔と第２貫通孔に挿入されてメインセット盤裏側に導出される構成となっている。
これにより、ガラス扉を閉じた場合において、ガラス扉裏側に形成される配線引出口と第１貫通孔及び第２貫通孔とがほぼ一直線上に位置するため、配線は、第１貫通孔及び第２貫通孔を介してほぼ直線状にパチンコ機の裏側に導出することができ、不自然に曲げられて収納されることがないため、無理な力等が加わって発生する断線をより確実に防止できる。また、この配線引出口が、ガラス扉の回動中心近傍に形成されるため、ガラス扉の開放により配線が延びても、内枠前面の作業領域を配線が横切ることが少ないので、メンテナンス作業等を容易に行うことができ、作業性の向上を図ることができる。
また、各第１貫通孔と第２貫通孔とをガラス扉に取り付けられている電気的機器の配線の接続コネクタが十分通る大きさに形成できると共に、内部に筒状壁面を有する第１貫通孔と第２貫通孔とが、メインセット盤を閉じた場合に、互いに対向する位置に形成されるため、この配線をパチンコ機の裏側に通すときに、この第１貫通孔と第２貫通孔とが挿入時の案内孔となり、容易にこの配線を裏側に通すことができ、組立時の作業性の効率向上を図ることができる。また、ガラス扉の開閉時において、この配線が第１貫通孔と第２貫通孔との中をスムーズに動くことができるため、配線に無理な力が加わることを防止することができると共に、配線にゴミ等が付着しても、この第１貫通孔と第２貫通孔とは筒状の壁面を形成しているため、機構盤やメインセット盤内にこのゴミが入って行くのを防ぐことができる。さらに、内枠側面等に配線を通すための切欠き等を形成する必要がないため、内枠の強度を保持することができる。
【発明を実施するための最良の形態】
【０００７】
以下、本発明に係るパチンコ機について、具体化した一実施の形態を図面を参照して詳細に説明する。先ず、本実施形態に係るパチンコ機の全体構成について図１に基づいて説明する。図１は本実施形態に係るパチンコ機全体を示した正面図である。
図１において、パチンコ機１は、いわゆるＣＲ機（カードリーディング機）と称され、カード式球貸機（以下、球貸機という）とパチンコ機１とによって構成され、これらは対をなして設置されるが、図１においては、球貸機の図示を省略している。
【０００８】
このパチンコ機１は、図１に示すように、内枠２が各ヒンジ３、３を介して外枠４に対して開閉自在に取り付けられている。そして、この内枠２のほぼ中央部には、遊技盤（不図示）の前側を被覆する鋼板やステンレス等の金属製のガラス扉５が左側端部を軸で支えられて開閉自在に取り付けられている。ガラス扉５には開口部を有する鋼板やステンレス等の金属製のガラス保持枠がスポット溶接等により固着されており、該ガラス保持枠に装着された２枚のガラス５１、５１（図５参照）を通して遊技領域が見えるようになっている。また、このガラス扉５の上端縁部の前面には、ランプカバー５Ａが設けられ、この中には４個の装飾用ランプ５２、５２、５２、５２（図５参照）が内蔵されている。これらのランプカバー５Ａ及び装飾用ランプ５２等により電気的機器である装飾表示機器が構成され、遊技中のエラー表示や「当たり」表示等が表示される。
このランプカバー５Ａは、前面側に突出するように膨出状の形状とされ、透明又は半透明で、内蔵された装飾用ランプ５２の点灯光を透過可能である。また、ランプカバー５Ａの表面にはカラフルな色彩が施されていてもよい。また、内枠２の右側中央部には、ガラス扉５を施錠する施錠装置（不図示）を操作するための鍵挿入部６が設けられている。ガラス扉５を開くためには、この鍵挿入部６に所定のキーを挿入して所定方向に回せば、施錠装置のロック状態が解除されて、ガラス扉５のみがオープンされる（図５参照）。
【０００９】
また、このガラス扉５の下側には賞球を受ける上皿７がスピーカ８を内蔵して左側端部を軸で支えられて開閉自在に設けられている。この上皿７の上面部には、後述する球貸操作器７Ａ（図２参照）が設けられている。この球貸操作器７Ａにより電気的機器である操作機器が構成されている。
この上皿７は、内枠２の右内側面に設けられた施錠装置（不図示）により施錠されている。この上皿７を開くためには、先ず、ガラス扉５をオープンした後、上皿７の裏側に設けられているロック解除レバー（不図示）を押し下げることにより、上皿７の施錠装置のロック状態が解除されて、上皿７がオープンされる（図４参照）。
【００１０】
そして、この上皿７の下には、下部受皿９が設けられる。また、上皿７に連通する不図示の球送り機構を介して上皿７のパチンコ球がハンドル１０に連結された不図示の発射装置へ送られるよう構成されている。
【００１１】
次に、上皿７の上面に設けられている球貸操作器７Ａの入出力信号線等のパチンコ機１の裏側への配線引き出しについて図２乃至図４に基づいて説明する。図２は本実施形態に係るパチンコ機１の上皿７を閉じた状態の球貸操作器の配線を含む横断面図である。図３は本実施形態に係るパチンコ機１の上皿７を閉じた状態の球貸操作器の配線を含む縦断面の要部断面図である。図４は本実施形態に係るパチンコ機１の上皿７をオープンした状態の球貸操作器の配線を含む横断面図である。
先ず、図２に示すように、上皿７の上面に設けられている球貸操作器７Ａには、球貸機に投入されたプリペイカードの残高を表示するカード残高表示器７１と、パチンコ球を購入するときに操作される球貸釦７２と、プリペイカードを排出するときに操作されるカード排出釦７３とが設けられている。そして、この球貸操作器７Ａの入出力信号線等の配線１２は、上皿７の軸で支えられている左側端縁部近傍位置の裏側に形成された配線出し孔１３から、図２及び図３に示されるように、この上皿７の裏側に引き出されている。
【００１２】
また、図２に示されるように、合成樹脂製の機構盤１５が内枠２の裏側にネジ止めにより取り付けられている。この機構盤１５は、遊技盤（不図示）を取り付けるための枠である。そして、上皿７の裏側に形成されている配線出し孔１３に対向する位置に、機構盤１５の裏側面（図２中、機構盤１５の上端）から機構盤１５の深さのほぼ２分の１の高さまで突出し、断面が縦長で上端縁部及び下端縁部が円弧状に形成された筒状壁面１６Ａ（図３参照）を有する貫通孔１６が設けられている。そして、この貫通孔１６により機構盤１５における第１貫通孔が構成されている。また、この貫通孔１６の形状は、上皿７からの配線１２の先端に取り付けられるコネクタ（不図示）が十分に通る形状である。さらに、貫通孔１６の上下端縁部が円弧状に形成されているため、配線１２の貫通孔１６の各上下端面部における引っかかり等を防止できる。
【００１３】
そして、この機構盤１５の裏側には、機構盤１５を覆うように合成樹脂製のメインセット盤１７が左側側端縁部をヒンジ１８により支持されて、開閉自在に取り付けられている。このメインセット盤１７は、機構盤１５に取り付けられる遊技盤（不図示）裏面側の入賞球出口から落下してくる入賞球を入賞球排出口へ案内する入賞球集合樋等を構成すると共に、賞球払出のための装置を有するものである。そして、メインセット盤１７の機構盤１５に形成される貫通孔１６に対向する位置には、メインセット盤１７の裏側面（図２中、メインセット盤１７の上端）からメインセット盤１７を閉じた状態の時に、上端縁部が機構盤１５の裏側面にほぼ接する高さまで突出し、断面形状が機構盤１５に形成される貫通孔１６とほぼ同じ形状の筒状壁面１９Ａ（図３参照）を有する貫通孔１９が設けられている。そして、この貫通孔１９によりメインセット盤における第２貫通孔が構成されている。また、この貫通孔１９の形状は、前記貫通孔１６と同様に、上皿７からの配線１２の先端に取り付けられるコネクタ（不図示）が十分に通る形状である。さらに、貫通孔１９の上下端縁部が円弧状に形成されているため、配線１２の貫通孔１９の各上下端面部における引っかかり等を防止できる。
【００１４】
これにより、機構盤１５の裏側にメインセット盤１７を閉じた状態に取り付けると、機構盤１５の貫通孔１６とメインセット盤１７の貫通孔１９とによって、機構盤１５の前側からパチンコ機１の裏側に連通する筒状の壁面を有する連続した貫通孔が形成される。そして、上皿７の配線出し孔１３からの配線１２は、この各貫通孔１６、１９に挿入され、パチンコ機１の裏側に引き出されて、中継基板２０にコネクタ（不図示）を介して接続される。また、上皿７の配線出し孔１３と各貫通孔１６、１９とは、図２及び図３に示されるように、ほぼ一直線上に配置されるため、この配線１２は折り曲げられず、ほぼ直線状にパチンコ機１の裏側に引き出されている。
【００１５】
また、図４に示されるように、上皿７を前記ロック解除レバーを押し下げてオープンした場合においても、上皿７裏側の配線出し孔１３が、上皿７の回動を支持する支持軸の近傍位置に形成されているため、各貫通孔１６、１９とほぼ対向しつつ移動する。これにより、この配線出し孔１３と各貫通孔１６、１９は、ほぼ一直線上に常に配置されるため、上皿７裏側からの配線１２は、折り曲げられず、ほぼ直線状態を保ちつつ各貫通孔１６、１９内を滑りながら引き出される。また、上皿７を閉じる場合においても、上皿７裏側からの配線１２は、折り曲げられず、ほぼ直線状態を保ちつつ各貫通孔１６、１９内を滑りながら、パチンコ機１の裏側に押し出される。また、上皿７の配線出し孔１３と各貫通孔１６、１９とは、上皿７の回動を支持する支持軸側に設けられているため、上皿７をオープンしてメインテナンス作業等を行う場合において、配線１２は作業領域の外周部に位置し、メインテナンス作業等を円滑に行える。
【００１６】
次に、ガラス扉５の上端縁部に設けられたランプカバー５Ａ内の装飾用ランプ５２等の配線の裏側への引き出しについて図５に基づいて説明する。図５は本実施形態に係るパチンコ機１のガラス扉５をオープンした状態の装飾用ランプ５２等の配線を含む横断面図である。
先ず、図５に示されるように、ガラス扉５の上端縁部にネジ止めによって取り付けられるランプカバー５Ａ内にはランプ用基板５３がネジ止めによりガラス扉５の上端縁部に取り付けられており、このランプ用基板５３上には４個の装飾用ランプ５２、５２、５２、５２が取り付けられている。そして、この装飾用ランプ５２、５２、５２、５２の点灯制御等を行うための配線２２がランプ用基板５３の左側端縁部に接続され、ランプカバー５Ａの左側上端縁部近傍位置の裏側に形成された配線引出口２３から、このランプカバー５Ａの裏側に引き出されている。
【００１７】
また、ガラス扉５を閉じた状態の時に、このランプカバー５Ａの裏側に形成された配線引出口２３に対向する位置に、機構盤１５の裏側面（図５中、機構盤１５の上端）から機構盤１５の深さのほぼ２分の１の高さまで突出し、断面が縦長で上端縁部及び下端縁部が円弧状に形成された筒状壁面を有する貫通孔２４が設けられている。この貫通孔２４の形状は、前記貫通孔１６とほぼ同じ形状であり（図３参照）、機構盤１５における第１貫通孔を構成している。また、この貫通孔２４の形状は、ランプカバー５Ａからの配線２２の先端に取り付けられるコネクタ（不図示）が十分に通る形状である。さらに、貫通孔２４の上下端縁部が円弧状に形成されているため、配線２２の貫通孔２４の各上下端面部における引っかかり等を防止できる。
【００１８】
そして、メインセット盤１７の機構盤１５に形成される貫通孔２４に対向する位置には、メインセット盤１７の裏側面（図５中、メインセット盤１７の上端）からメインセット盤１７を閉じた状態の時に、上端縁部が機構盤１５の裏側面にほぼ接する高さまで突出し、断面形状が機構盤１５に形成される貫通孔２４とほぼ同じ形状の筒状壁面を有する貫通孔２５が設けられている。よって、この貫通孔２５の形状は、前記貫通孔１９とほぼ同じ形状であり（図３参照）、メインセット盤１７における第２貫通孔を構成している。また、この貫通孔２５の形状は、前記貫通孔２４と同様に、ランプカバー５Ａからの配線２２の先端に取り付けられるコネクタ（不図示）が十分に通る形状である。さらに、貫通孔２５の上下端縁部が円弧状に形成されているため、配線２２の貫通孔２５の各上下端面部における引っかかり等を防止できる。
【００１９】
これにより、機構盤１５の裏側にメインセット盤１７を閉じた状態に取り付けると、機構盤１５の貫通孔２４とメインセット盤１７の貫通孔２５とによって、機構盤１５の前側からパチンコ機１の裏側に連通する筒状の壁面を有する連続した貫通孔が形成される。そして、ランプカバー５Ａの配線引出口２３からの配線２２は、この各貫通孔２４、２５に挿入され、パチンコ機１の裏側に引き出されて、中継基板２６にコネクタ（不図示）を介して接続される。また、ランプカバー５Ａの配線引出口２３と各貫通孔２４、２５とは、ほぼ一直線上に配置されるため、この配線２２は折り曲げられず、ほぼ直線状にパチンコ機１の裏側に引き出されている。
【００２０】
また、図５に示されるように、ガラス扉５をオープン状態にした場合においても、ランプカバー５Ａ裏側の配線引出口２３が、ガラス扉５の回動を支持する支持軸の近傍位置に形成されているため、各貫通孔２４、２５とほぼ対向しつつ移動する。これにより、この配線引出口２３と各貫通孔２４、２５は、ほぼ一直線上に常に配置されるため、ランプカバー５Ａ裏側からの配線２２は、折り曲げられず、ほぼ直線状態を保ちつつ各貫通孔２４、２５内を滑りながら引き出される。また、ガラス扉５を閉じる場合においても、ランプカバー５Ａ裏側からの配線２２は、折り曲げられず、ほぼ直線状態を保ちつつ各貫通孔２４、２５内を滑りながら、パチンコ機１の裏側に押し出される。また、ランプカバー５Ａの配線引出口２３と各貫通孔２４、２５とは、ガラス扉５の回動を支持する支持軸側に設けられているため、ガラス扉５をオープンしてメインテナンス作業等を行う場合において、配線２２は作業領域の外周部に位置し、メインテナンス作業等を円滑に行える。
【００２１】
以上詳細に説明した通り、本実施形態のパチンコ機１においては、ランプカバー５Ａ裏側の配線引出口２３は、ガラス扉５の回動を支持する支持軸の近傍位置に形成される。そして、ガラス扉５を閉じた状態において、この配線引出口２３に対向するように設けられる機構盤１５の貫通孔２４とメインセット盤１７の貫通孔２５とによって、機構盤１５の前側からパチンコ機１の裏側に連通する筒状の壁面を有する連続した貫通孔が形成される。そして、ランプカバー５Ａの配線引出口２３からの配線２２は、この各貫通孔２４、２５に挿入され、パチンコ機１の裏側に引き出されて、中継基板２６にコネクタ（不図示）を介して接続される。また、上皿７裏側の配線出し孔１３は、上皿７の回動を支持する支持軸の近傍位置に形成される。そして、上皿７を閉じた状態において、この配線出し孔１３に対向するように設けられる機構盤１５の貫通孔１６とメインセット盤１７の貫通孔１９とによって、機構盤１５の前側からパチンコ機１の裏側に連通する筒状の壁面を有する連続した貫通孔が形成される。そして、上皿７の配線出し孔１３からの配線１２は、この各貫通孔１６、１９に挿入され、パチンコ機１の裏側に引き出されて、中継基板２０にコネクタ（不図示）を介して接続される。
【００２２】
したがって、この配線出し孔１３と各貫通孔１６、１９、及び配線引出口２３と各貫通孔２４、２５は、各々ほぼ一直線上に常に配置されるため、ランプカバー５Ａ裏側と上皿７裏側からの各配線２２、１２は、折り曲げられず、ほぼ直線状態を保ちつつ各貫通孔１６、１９、２４、２５内を滑りながら引き出され、また、パチンコ機１の裏側に押し出されるため、各配線１２、２２に無理な力が加わることを防止することができると共に、各配線１２、２２にゴミ等が付着しても、この各貫通孔１６、１９、２４、２５は筒状の壁面を形成しているため、機構盤１５やメインセット盤１７内にこのゴミが入って行くのを防ぐことができる。
また、各貫通孔１６、１９、２４、２５は、各配線１２、２２の接続コネクタが十分通る大きさに形成できると共に、内部に筒状壁面を有する各貫通孔１６、１９及び各貫通孔２４、２５が重なる位置に形成されるため、各配線１２、２２をパチンコ機１の裏側に通すときに各貫通孔１６、１９及び各貫通孔２４、２５が挿入時の案内孔となり、容易に各配線１２、２２を裏側に通すことができ、組立時の作業性の向上を図ることができる。
さらに、配線出し孔１３及び配線引出口２３は、各々上皿７及びガラス扉５の回動中心近傍位置に形成されるため、ガラス扉５や上皿７の開放により各配線２２、１２が延びても、内枠２前面の作業領域を配線が横切ることが少ないので、メンテナンス作業等を容易に行うことができ、作業性の向上を図ることができる。
【００２３】
尚、本発明は前記実施形態に限定されるものではなく、本発明の要旨を逸脱しない範囲内で種々の改良、変形が可能であることは勿論である。
【図面の簡単な説明】
【００２４】
【図１】本実施形態に係るパチンコ機全体を示した正面図である。
【図２】本実施形態に係るパチンコ機の上皿を閉じた状態の球貸操作器の配線を含む横断面図である。
【図３】本実施形態に係るパチンコ機の上皿を閉じた状態の球貸操作器の配線を含む縦断面の要部断面図である。
【図４】本実施形態に係るパチンコ機の上皿をオープンした状態の球貸操作器の配線を含む横断面図である。
【図５】本実施形態に係るパチンコ機のガラス扉をオープンした状態の装飾用ランプ等の配線を含む横断面図である。
【符号の説明】
【００２５】
１                                    パチンコ機
２                                    内枠
５                                    ガラス扉
５Ａ                                  ランプカバー
７                                    上皿
７Ａ                                  球貸操作器
１２、２２                            配線
１３                                  配線出し口
１５                                  機構盤
１６、１９、２４、２５                貫通孔
１７                                  メインセット盤
２０、２６                            中継基板
２３                                  配線引出口
【図１】
2008110263.tif 000003
【図２】
2008110263.tif 000004
【図３】
2008110263.tif 000005
【図４】
2008110263.tif 000006
【図５】
2008110263.tif 000007